(57)【要約】【課題】映像と音声を多重化したストリーミングコンテンツを受信し、高い臨場感のある再生を可能にした音声・映像再生装置を提供することを目的とする。【解決手段】ストリーミングサーバー３０から映像データとハイレゾ化した音声データとを多重化したデータを取り込むコントローラー３１と、このコントローラー３１から出力されたハイレゾ化した音声を再生可能な音声出力部３４と、前記コントローラー３１から出力された映像を表示する映像表示部３５と、前記ストリーミングサーバー３０から取り込まれた音源データのフォーマットを表示する音源データ表示部４９と、前記音声・映像機器本体５２の持つフォーマットを表示する音声再生データ表示部５０と、前記コントローラー３１から出力された映像のフォーマットを表示する映像データ表示部５１とを具備している。【選択図】図１
2018191232.tif 000002
【特許請求の範囲】
【請求項１】
音声・映像機器本体内に設けられ、ストリーミングサーバーから映像データとハイレゾ化した音声データとを多重化したデータを取り込むコントローラーと、このコントローラーから出力されたハイレゾ化した音声を再生可能な音声出力部と、前記コントローラーから出力された映像を表示する映像表示部と、前記ストリーミングサーバーから取り込まれた音源データのフォーマットを表示する音源データ表示部と、前記音声・映像機器本体の持つフォーマットを表示する音声再生データ表示部と、前記コントローラーから出力された映像のフォーマットを表示する映像データ表示部とを具備していることを特徴とする音声・映像再生装置。
【請求項２】
音源データ表示部は、ファイル名表示部と第１の数値表示部と第１の棒グラフ表示部とを具備し、音声再生データ表示部は、音声再生機種名表示部と第２の数値表示部と第２の棒グラフ表示部を具備し、映像データ表示部は、映像ファイル名表示部と総画素数表示部を具備していることを特徴とする請求項１記載の音声・映像再生装置。
【請求項３】
ストリーミングサーバーからの取り込まれる映像データと音声データは、ＭＰＥＧ−ＤＡＳＨへ変換したものからなることを特徴とする請求項１又は２記載の音声・映像再生装置。
【発明の詳細な説明】
【技術分野】
【０００１】
本発明は、４Ｋや８Ｋなどの高画素数の映像（動画と静止画を含む）とハイレゾ化された音声のストリーミングコンテンツを受信し、高い臨場感のある再生を可能にした音声・映像再生装置に関するものである。
【背景技術】
【０００２】
本出願人は、音声携帯機器本体に外部から読み込み記憶されている音源の周波数帯域と、この音声携帯機器本体で再生する周波数帯域とを比較表示できるようにした音声携帯機器の表示装置を提供した（特許文献１）。
この特許文献１に記載の音声携帯機器の表示装置は、図４に示すように、外部の複数の音源データを読み込み記憶する音源ファイル１８と、この音源ファイル１８の音源データを再生する再生ユニット１４と、再生機種のデータを記憶する機器データメモリ１６と、前記音源データの読み込みと出力、前記機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備し、前記音源データのサンプリングレート出力２１に加え、選択された前記音源データのファイルデータを出力するファイル形式出力２０を設け、前記再生サンプリングレート出力２３に加え、選択された前記機種データを出力する機種データ出力２２を設け、前記音源出力表示部１２は、前記ファイル形式出力２０から出力された音源データのファイル形式名を表示するファイル名表示部２４と、前記サンプリングレート出力２１から出力された音源データのサンプリングレートを、数値によりディジタル表示する数値表示部２５と棒線グラフによりアナログ表示する棒グラフ表示部２６を有し、前記再生出力表示部１３は、前記機種データ出力２２から出力された機種データ名を表示する再生機種名表示部２７と、前記再生サンプリングレート出力２３から出力された機種データのサンプリングレートを、数値によりディジタル表示する数値表示部２８と棒線グラフによりアナログ表示する棒グラフ表示部２９を有し、前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ上下に対応して配置したものである。
【先行技術文献】
【特許文献】
【０００３】
【特許文献１】実用新案登録第３１９６３３５号公報
【発明の概要】
【発明が解決しようとする課題】
【０００４】
特許文献１に示した装置では、音声の再生はできるが、同時に映像の再生をすることはできないという問題があった。
本発明は、映像と音声を多重化したストリーミングコンテンツを受信し、高い臨場感のある再生を可能にした音声・映像再生装置を提供することを目的とするものである。
【課題を解決するための手段】
【０００５】
本発明の音声・映像再生装置は、音声・映像機器本体５２内に設けられ、ストリーミングサーバー３０から映像データとハイレゾ化した音声データとを多重化したデータを取り込むコントローラー３１と、このコントローラー３１から出力されたハイレゾ化した音声を再生可能な音声出力部３４と、前記コントローラー３１から出力された映像を表示する映像表示部３５と、前記ストリーミングサーバー３０から取り込まれた音源データのフォーマットを表示する音源データ表示部４９と、前記音声・映像機器本体５２の持つフォーマットを表示する音声再生データ表示部５０と、前記コントローラー３１から出力された映像のフォーマットを表示する映像データ表示部５１とを具備している。
【０００６】
音源データ表示部４９は、ファイル名表示部４１と第１の数値表示部４２と第１の棒グラフ表示部４３とを具備し、音声再生データ表示部５０は、音声再生機種名表示部４４と第２の数値表示部４５と第２の棒グラフ表示部４６を具備し、映像データ表示部５１は、映像ファイル名表示部４７と総画素数表示部４８を具備している。
【０００７】
ストリーミングサーバー３０からの取り込まれる映像データと音声データは、ＭＰＥＧ−ＤＡＳＨへ変換したものからなる。
【発明の効果】
【０００８】
請求項１記載の発明によれば、
音声・映像機器本体内に設けられ、ストリーミングサーバーから映像データとハイレゾ化した音声データとを多重化したデータを取り込むコントローラーと、このコントローラーから出力されたハイレゾ化した音声を再生可能な音声出力部と、前記コントローラーから出力された映像を表示する映像表示部と、前記ストリーミングサーバーから取り込まれた音源データのフォーマットを表示する音源データ表示部と、前記音声・映像機器本体の持つフォーマットを表示する音声再生データ表示部と、前記コントローラーから出力された映像のフォーマットを表示する映像データ表示部とを具備しているので、ハイレゾ音源を、しかもライブストリーミングが可能となり、これまでにない全く新しい音楽の聴き方を体験することが可能となる。ライブ会場で演奏される迫力ある音楽を動画とともにリアルタイムでライブストリーミング配信することにより、会場に行くことがかなわない場合でも臨場感ある高音質のライブ演奏を別の場所で原音のまま楽しむことができる。
【０００９】
請求項２記載の発明によれば、
音源データ表示部は、ファイル名表示部と第１の数値表示部と第１の棒グラフ表示部とを具備し、音声再生データ表示部は、音声再生機種名表示部と第２の数値表示部と第２の棒グラフ表示部を具備し、映像データ表示部は、映像ファイル名表示部と総画素数表示部を具備しているので、ストリーミングサーバーから取り込まれている音声データが１９２ｋＨｚであるにもかかわらず、再生は、９６ｋＨｚで再生されていることが一見して区別できる。このことは、取り込まれた音声データを使用中の音声・映像機器本体では十分に再生されていないことが一見して理解できる。
また、音源データ表示部と音声再生データ表示部の表示が一致していれば、この音声・映像機器本体は、音声データを十分生かして再生していることが理解できる。
さらに、映像データ表示部の総画素数表示部で総画素数が表示され、高画質の映像であることを確認できる。
【００１０】
請求項３記載の発明によれば、
ストリーミングサーバーからの取り込まれる映像データと音声データは、ＭＰＥＧ−ＤＡＳＨへ変換したものからなるので、デコード処理が容易である。
【図面の簡単な説明】
【００１１】
【図１】本発明による音声・映像再生装置の一実施例を示すブロック図である。
【図２】本発明による音声・映像再生装置の一実施例を示す正面図である。
【図３】本発明による音声・映像再生装置の動作を示すフローチャートである。
【図４】従来の音声携帯機器の表示装置を示すブロック図である。
【発明を実施するための形態】
【００１２】
本発明の音声・映像再生装置は、
音声・映像機器本体５２内に設けられ、ストリーミングサーバー３０から映像データとハイレゾ化した音声データとを多重化したデータを取り込むコントローラー３１と、このコントローラー３１から出力されたハイレゾ化した音声を再生可能な音声出力部３４と、前記コントローラー３１から出力された映像を表示する映像表示部３５と、前記ストリーミングサーバー３０から取り込まれた音源データのフォーマットを表示する音源データ表示部４９と、前記音声・映像機器本体５２の持つフォーマットを表示する音声再生データ表示部５０と、前記コントローラー３１から出力された映像のフォーマットを表示する映像データ表示部５１とを具備している。
【００１３】
音源データ表示部４９は、ファイル名表示部４１と第１の数値表示部４２と第１の棒グラフ表示部４３とを具備し、音声再生データ表示部５０は、音声再生機種名表示部４４と第２の数値表示部４５と第２の棒グラフ表示部４６を具備し、映像データ表示部５１は、映像ファイル名表示部４７と総画素数表示部４８を具備している。
【００１４】
ストリーミングサーバー３０からの取り込まれる映像データと音声データは、ＭＰＥＧ−ＤＡＳＨへ変換したものからなることとすることができる。
【実施例１】
【００１５】
本発明による音声・映像再生装置の実施例１を図１及び図２に基づき説明する。
図１において、５２は、音声・映像機器本体で、この音声・映像機器本体５２には、映像表示部３５とタッチパネル操作部３６が切り替え表示されるように設けられ、また、イヤホンなどの音声出力部３４が接続されている。前記映像表示部３５には、音源データ表示部４９と音声再生データ表示部５０と映像データ表示部５１が設けられている。
【００１６】
前記音声・映像機器本体５２の内部には、コントローラー３１が設けられ、このコントローラー３１に、Ｗｉ−Ｆｉを介してストリーミングサーバー３０が結合される。前記コントローラー３１には、イヤホン、スピーカーなどからなる音声出力部３４と，映像（動画又は静止画）を表示する映像表示部３５と、映像のフォーマットを抽出する映像フォーマット抽出部３２と、前記音声・映像機器本体５２の持つ機種データを記憶している音声機器データメモリ３３と、タッチパネル、スイッチなどのタッチパネル操作部３６が接続されている。
【００１７】
前記コントローラー３１には、また、ストリーミングサーバー３０から入力した音声ファイル形式名を出力する音声ファイル形式出力部３７と、ストリーミングサーバー３０から入力した音声ファイルのサンプリングレートを解析し出力するサンプリングレート出力部３８が接続され、これらの音声ファイル形式出力部３７とサンプリングレート出力部３８は、前記音源データ表示部４９のファイル名表示部４１と第１の数値表示部４２と第１の棒グラフ表示部４３に接続されている。
【００１８】
前記コントローラー３１の前記音声出力部３４への出力側には、音声機器データメモリ３３から取り込んだ機種データを出力する機器データ出力部３９と、現在使用している音声・映像機器本体５２の再生サンプリングを解析して出力する再生サンプリング出力部４０が接続され、これらは、前記音声再生データ表示部５０の音声再生機種名表示部４４と第２の数値表示部４５と第２の棒グラフ表示部４６に接続されている。
【００１９】
以上のような構成による作用を図３に基づき説明する。
（ａ）音声・映像機器本体５２のスイッチを入れてスタートし、タッチパネル操作部３６により、コントローラー３１へ取り込もうとするデータの該当するアドレスを指定する。ストリーミングサーバー３０には、４Ｋ、８Ｋなどの高画素数の映像とハイレゾ化された音声が多重化されてＭＰＥＧ−ＤＡＳＨなどに変換されてファイルアップされている。
（ｂ）前記アドレスの設定により、音声・映像機器本体５２の内部で音声出力フォーマットの設定を処理する。
（ｃ）映像ファイルをストリーミングサーバー３０からストリーミングでダウンロードする。音声・映像機器本体５２のメモリに記憶することなく、閲覧だけ行い、ファイル自体は残さない。
（ｄ）ＭＰＥＧ−ＤＡＳＨなどに変換されているデータをコントローラー３１でデコードし、このコントローラー３１で画面出力の指示と、音声出力の指示を行う。
（ｅ）非同期で音声解析処理を行う。
（ｆ）音声出力部３４で音声を出力し、かつ、映像表示部３５で動画または静止画が表示される。
（ｇ）曲が再生中の場合は、（ｂ）に戻って繰り返す。
【００２０】
同時に、コントローラー３１に取り込まれた音声データから音声ファイル形式出力部３７では、ファイル名が出力し、音源データ表示部４９のファイル名表示部４１に表示される。サンプリングレート出力部３８では、音声データの周波数を解析し、サンプリングレートに変換し、数値データとして例えば「１９２ｋＨｚ」とディジタル表示されるとともに、一見して確認できるように０〜１９２ｋＨｚまでの細かな間隔の棒グラフで第１の棒グラフ表示部４３にアナログ表示される。
【００２１】
コントローラー３１から音声出力部３４側に出力されている再生データは、機器データ出力部３９で音声・映像機器本体５２の機種名が出力されて音声再生データ表示部５０の音声再生機種名表示部４４に表示される。同時に、第２の数値表示部４５では、音声・映像機器本体５２の持つ周波数データに基づき再生時のサンプリングレートが出力され、数値データとして例えば「９６ｋＨｚ」とディジタル表示されるとともに、一見して確認できるように０〜９６ｋＨｚまでの細かな間隔の棒グラフで第２の棒グラフ表示部４６にアナログ表示される。
さらに、コントローラー３１から映像表示部３５側に出力されている映像データから映像フォーマット抽出部３２で映像フォーマットが抽出され、映像データ表示部５１の映像ファイル名表示部４７に映像ファイル名が表示され、かつ、総画素数表示部４８に総画素数が表示される。
【００２２】
このような表示とすることで、ストリーミングサーバー３０から取り込まれている音声データが１９２ｋＨｚであるにもかかわらず、再生は、９６ｋＨｚで再生されていることが一見して区別できる。このことは、取り込まれた音声データを使用中の音声・映像機器本体５２では十分に再生されていないことが一見して理解できる。
また、音源データ表示部４９と音声再生データ表示部５０の表示が一致していれば、この音声・映像機器本体５２は、音声データを十分生かして再生していることが理解できる。
また、映像データ表示部５１の総画素数表示部４８で総画素数が表示され、高画質の映像であることを確認できる。
【００２３】
本発明の音声・映像再生装置は、ハイレゾに対応しているので、ハイレゾ音源を、しかもライブストリーミングが可能となり、これまでにない全く新しい音楽の聴き方を体験することが可能となる。ライブ会場で演奏される迫力ある音楽を動画とともにリアルタイムでライブストリーミング配信することにより、会場に行くことがかなわない場合でも臨場感ある高音質のライブ演奏を別の場所で原音のまま楽しむことができる。
本発明における音声・映像再生装置は、タブレット端末、スマートホンなどの携帯用音声・映像機器を対象としているが、必ずしも携帯用に限られるものではない。
【符号の説明】
【００２４】
１０…音声携帯機器本体、１１…表示部、１２…音源出力表示部、１３…再生出力表示部、１４…再生ユニット、１５…コントローラ、１６…機器データメモリ、１７…入力装置、１８…音源ファイル、１９…外部音源データ、２０…ファイル形式出力、２１…サンプリングレート出力、２２…機種データ出力、２３…再生サンプリングレート出力、２４…ファイル名表示部、２５…数値表示部、２６…棒グラフ表示部、２７…再生機種名表示部、２８…数値表示部、２９…棒グラフ表示部、３０…ストリーミングサーバー、３１…コントローラー、３２…映像フォーマット抽出部、３３…音声機器データメモリ、３４…音声出力部、３５…映像表示部、３６…タッチパネル操作部、３７…音声ファイル形式出力部、３８…サンプリングレート出力部、３９…機器データ出力部、４０…再生サンプリング出力部、４１…ファイル名表示部、４２…第１の数値表示部、４３…第１の棒グラフ表示部、４４…音声再生機種名表示部、４５…第２の数値表示部、４６…第２の棒グラフ表示部、４７…映像ファイル名表示部、４８…総画素数表示部、４９…音源データ表示部、５０…音声再生データ表示部、５１…映像データ表示部、５２…音声・映像機器本体。
【図１】
2018191232.tif 000003
【図２】
2018191232.tif 000004
【図３】
2018191232.tif 000005
【図４】
2018191232.tif 000006